(57)【要約】【課題】オスタブの揺れ範囲の規制を向上させることが可能な構造のコネクタを提供する。【解決手段】コネクタにおけるコネクタハウジングのキャビティ前壁１には、断面視矩形のオスタブ２の挿通部分になるオスタブ挿通穴３が形成される。このオスタブ挿通穴３は、オスタブ２の第一軸Ｃ１に平行な一対の第一タブ平面４に対応する一対の直線状の第一穴縁部５と、オスタブ２の第一軸Ｃ１に直交する第二軸Ｃ２に平行な一対の第二タブ平面６に対応する一対の直線状の第二穴縁部７と、オスタブ２の対角線方向の第三軸Ｃ３に対し交差し且つ端部が第一穴縁部５及び第二穴縁部７に連続する少なくとも一つの直線状の第三穴縁部８と、を有する。【選択図】図１
2019008998.tif 000002
【特許請求の範囲】
【請求項１】
コネクタハウジングのキャビティ前壁に断面視矩形のオスタブが挿通されるオスタブ挿通穴を有し、
該オスタブ挿通穴は、
前記オスタブの第一軸に平行な一対の第一タブ平面に対応する一対の直線状の第一穴縁部と、
前記オスタブの前記第一軸に直交する第二軸に平行な一対の第二タブ平面に対応する一対の直線状の第二穴縁部と、
前記オスタブの対角線方向の第三軸に対し交差し且つ端部が前記直線状の第一穴縁部及び前記直線状の第二穴縁部に連続する少なくとも一つの直線状の第三穴縁部と、
を有する
ことを特徴とするコネクタ。
【請求項２】
請求項１に記載のコネクタにおいて、
前記オスタブ挿通穴は、前記直線状の第三穴縁部を四つ有して八角形状に開口形成される
ことを特徴とするコネクタ。
【発明の詳細な説明】
【技術分野】
【０００１】
本発明は、コネクタに関する。詳しくは、オスタブの揺れ範囲を規制するための構造を有するコネクタに関する。
【背景技術】
【０００２】
下記特許文献１のコネクタは、コネクタハウジングのキャビティ前壁に形成されたオスタブ挿通穴の角部分に、オスタブの揺れ範囲を規制するため構造を有する。具体的には、上記角部分に丸みを持たせた構造を有する。丸みは、角部分に向けて凸となるような円弧形状に形成される。
【先行技術文献】
【特許文献】
【０００３】
【特許文献１】特開２００４−１４６１８５号公報
【発明の概要】
【発明が解決しようとする課題】
【０００４】
上記従来技術にあっては、オスタブの揺れ範囲を規制することができるものの、オスメスのコネクタが嵌合した状態で振動等が加わった場合には、まだ揺れが大きいという問題点を有する。
【０００５】
尚、オスメスのコネクタにおける端子接触部分が大きく摺動すると、接点摩耗が生じて抵抗が上昇してしまうという虞がある。
【０００６】
本発明は、上記した事情に鑑みてなされたもので、オスタブの揺れ範囲の規制を向上させることが可能な構造を有するコネクタの提供を課題とする。
【課題を解決するための手段】
【０００７】
上記課題を解決するためになされた請求項１に記載の本発明のコネクタは、コネクタハウジングのキャビティ前壁に断面視矩形のオスタブが挿通されるオスタブ挿通穴を有し、該オスタブ挿通穴は、前記オスタブの第一軸に平行な一対の第一タブ平面に対応する一対の直線状の第一穴縁部と、前記オスタブの前記第一軸に直交する第二軸に平行な一対の第二タブ平面に対応する一対の直線状の第二穴縁部と、前記オスタブの対角線方向の第三軸に対し交差し且つ端部が前記直線状の第一穴縁部及び前記直線状の第二穴縁部に連続する少なくとも一つの直線状の第三穴縁部と、を有することを特徴とする。
【０００８】
このような請求項１の特徴を有する本発明によれば、オスタブの角に直線状の第三穴縁部を近づけることができる。直線状の第三穴縁部をオスタブの角に近づけることで、オスタブの揺れ範囲を従来例よりも小さく規制することができる。
【０００９】
請求項２に記載の本発明は、請求項１に記載のコネクタにおいて、前記オスタブ挿通穴は、前記直線状の第三穴縁部を四つ有して八角形状に開口形成されることを特徴とする。
【００１０】
このような請求項２の特徴を有する本発明によれば、直線状の第三穴縁部をオスタブの四つの角にそれぞれ近づけることができる。従って、オスタブ挿通穴のより良い形状を提供することができる。
【発明の効果】
【００１１】
本発明のコネクタによれば、直線状の第一穴縁部と直線状の第二穴縁部と直線状の第三穴縁部とを有し、オスタブの角に直線状の第三穴縁部を近づける構造のオスタブ挿通穴にすることから、オスタブの揺れ範囲の規制を従来例と比べて向上させることができるという効果を奏する。そして、オスタブの揺れ範囲を規制できれば、端子の接点摩耗を減少させることもでき、以て抵抗の上昇を防止して接続信頼性を向上させることもできるという効果を奏する。この他、オスタブの拾い性能も向上させることができ、以て端子同士の突き当たりを抑制することもできるという効果を奏する。
【図面の簡単な説明】
【００１２】
【図１】本発明のコネクタにおけるオスタブ挿通穴の一実施形態を示す模式図である。
【図２】本発明のコネクタを含むジョイントコネクタの一実施形態を示す斜視図である（実施例１）。
【図３】図２のジョイントコネクタのＢ−Ｂ線断面図（斜視図）である。
【図４】図２のジョイントコネクタのＢ−Ｂ線断面図である。
【図５】図２のジョイントコネクタのＣ−Ｃ線断面図である。
【図６】図５の円Ｄ部分のオスタブ挿通穴の拡大図である。
【図７】比較例としての拡大図である。
【図８】本発明のコネクタの他の一実施形態を示す断面図である（実施例２）。
【発明を実施するための形態】
【００１３】
図１において、コネクタにおけるコネクタハウジングのキャビティ前壁１には、断面視矩形のオスタブ２の挿通部分になるオスタブ挿通穴３が形成される。このオスタブ挿通穴３は、オスタブ２の第一軸Ｃ１に平行な一対の第一タブ平面４に対応する一対の直線状の第一穴縁部５と、オスタブ２の第一軸Ｃ１に直交する第二軸Ｃ２に平行な一対の第二タブ平面６に対応する一対の直線状の第二穴縁部７と、オスタブ２の対角線方向の第三軸Ｃ３に対し交差し且つ端部が直線状の第一穴縁部５及び直線状の第二穴縁部７に連続する少なくとも一つの直線状の第三穴縁部８と、を有する。オスタブ挿通穴３は、一つの直線状の第三穴縁部８でも十分に有効であるが、図１に示すように、直線状の第三穴縁部８を四つ有して八角形状に開口させることが好ましい。
【実施例１】
【００１４】
以下、図面を参照しながら実施例１を説明する。図２は本発明のコネクタを含むジョイントコネクタの一実施形態を示す斜視図である。また、図３〜図５はジョイントコネクタの断面図、図６はオスタブ挿通穴の拡大図、図７は比較例としての拡大図である。
【００１５】
＜ジョイントコネクタ１１について＞
図２ないし図４において、引用符号１１は例えば自動車の電気配線に用いられるジョイントコネクタを示す。ジョイントコネクタ１１は、雄ジョイントコネクタ１２と、中継ハウジング１３と、雌コネクタ１４（特許請求の範囲に記載されたコネクタに相当）とを備えて構成される。本実施例のジョイントコネクタ１１は、雄ジョイントコネクタ１２によって雌コネクタ１４の回路をジョイントすることができるように構成される。
【００１６】
＜雄ジョイントコネクタ１２について＞
図２ないし図４において、雄ジョイントコネクタ１２は、絶縁性を有する樹脂製のコネクタハウジング１５と、導電性を有する金属製の雄端子１６とを備えて構成される。雄端子１６は、複数備えられる。
【００１７】
コネクタハウジング１５は、中継ハウジング１３との嵌合部（符号省略）や、雄端子１６を固定する部分（インサート成形部分など）を有する。雄端子１６は、断面視矩形のオスタブ１７を有する。このオスタブ１７は、図６に示すように、オスタブ１７の第一軸Ｃ１に平行な一対の第一タブ平面１８と、第一軸Ｃ１に直交する第二軸Ｃ２に平行な一対の第二タブ平面１９とを有する。尚、図６ではオスタブ１７の四つの角２０がエッジで図示されるが、実際には曲げ加工等により小さな曲面が生じるものとする。オスタブ１７の先端は、先細りするテーパ形状に形成される。
【００１８】
＜中継ハウジング１３について＞
図２ないし図４において、中継ハウジング１３は、絶縁性を有する樹脂製の筒状部材であって、雄ジョイントコネクタ１２との嵌合部（符号省略）及び雌コネクタ１４との嵌合部（符号省略）をそれぞれ有する。
【００１９】
尚、中継ハウジング１３は、上記嵌合部が二箇所あることから、構造上、嵌合ガタが大きくなり、振動等によってはオスタブ１７の揺れが懸念される。しかしながら、以下で説明する雌コネクタ１４の規制構造３３が有効に機能する結果、嵌合ガタの影響が従来例よりも小さくなることが分かる。
【００２０】
＜雌コネクタ１４について＞
図２ないし図５において、雌コネクタ１４は、絶縁性を有する樹脂製のコネクタハウジング２１と、導電性を有する金属製の雌端子２２と、この雌端子２２を二重に係止するための樹脂製のスペーサ２３とを備えて構成される。雌端子２２は複数備えられ、各々、電線２４の端末に設けられる。スペーサ２３は、コネクタハウジング２１の後述するスペーサ組み付け部２６に組み付けられる。
【００２１】
＜コネクタハウジング２１について＞
図３ないし図５において、コネクタハウジング２１は、端子収容室２５（キャビティ）と、スペーサ２３に対するスペーサ組み付け部２６とを有する。端子収容室２５は、複数形成される。端子収容室２５は、電線引き出し部２７とキャビティ前壁２８との間に形成される。端子収容室２５は、雌端子２２を係止するためのランス２９を有する。
【００２２】
＜キャビティ前壁２８について＞
図５及び図６において、キャビティ前壁２８は、オスタブ１７が挿通されるオスタブ挿通穴３０と、複数のタブ拾い面３１、３２とを有する。オスタブ挿通穴３０は、オスタブ１７の揺れ範囲を規制するための規制構造３３を有する。タブ拾い面３１、３２は、オスタブ挿通穴３０の穴縁部にテーパ状の形状で連成される。オスタブ挿通穴３０は、キャビティ前壁２８の表面を凹ませた底位置に配置形成される。
【００２３】
＜オスタブ挿通穴３０及び規制構造３３について＞
図６において、オスタブ挿通穴３０は、オスタブ１７の一対の第一タブ平面１８に対応する一対の直線状の第一穴縁部３４と、オスタブ１７の一対の第二タブ平面１９に対応する一対の直線状の第二穴縁部３５と、オスタブ１７の対角線方向の第三軸Ｃ３に対し交差し且つ端部が直線状の第一穴縁部３４及び直線状の第二穴縁部３５に連続する四つの直線状の第三穴縁部３６とを有して、図示のような八角形状に形成される。直線状の第三穴縁部３６は、上記規制構造３３に相当する。オスタブ挿通穴３０は、規制構造３３を有することにより（直線状の第三穴縁部３６を有することにより）、寸法Ｘ、Ｙ、Ａで示すような小さなクリアランスにすることができる。
【００２４】
図７において、従来例の丸みＭと比べてみると、オスタブ１７の角２０とのクリアランスを寸法Ａ′の分だけ小さくすることができる（直線状の第三穴縁部３６の両端部の位置を通るように丸みＭを形成した場合）。
【００２５】
尚、直線状の第三穴縁部３６に関し、この形成は図６の矢印Ｐ１の一箇所や矢印Ｐ１及びＰ２の二箇所等であってもよいものとする（一箇所あれば、揺れ範囲の規制効果が得られる）。
【００２６】
本実施例のオスタブ挿通穴３０は、第一タブ平面１８からの延長線（図示省略）及び第二タブ平面１９からの延長線（図示省略）が直線状の第三穴縁部３６の中間で交差するような位置に形成される。
【００２７】
＜効果について＞
以上、図１ないし図７を参照しながら説明してきたように、本発明の一実施形態によれば、ジョイントコネクタ１１は雌コネクタ１４を備え、この雌コネクタ１４におけるキャビティ前壁２８のオスタブ挿通穴３０は、規制構造３３として直線状の第三穴縁部３６を有することから、この直線状の第三穴縁部３６をオスタブ１７の角２０に近づけることができる。従って、オスタブ１７の揺れ範囲を従来例よりも小さく規制することができる。
【００２８】
本発明の一実施形態によれば、オスタブ１７の揺れ範囲の規制を従来例と比べて向上させることができるという効果を奏する。そして、オスタブ１７の揺れ範囲を規制できれば、端子の接点摩耗を減少させることもでき、以て抵抗の上昇を抑制して接続信頼性を向上させることもできるという効果を奏する。この他、オスタブ１７の拾い性能も向上させることができ、以て端子同士の突き当たりを抑制することもできるという効果を奏する。
【実施例２】
【００２９】
以下、図面を参照しながら実施例２を説明する。図８は本発明のコネクタの他の一実施形態を示す断面図である。
【００３０】
＜雄コネクタ４１について＞
図８において、引用符号４１は雄コネクタ（特許請求の範囲に記載されたコネクタに相当）を示す。この雄コネクタ４１は、絶縁性を有する樹脂製のコネクタハウジング４２と、導電性を有する金属製の雄端子４３とを備えて構成される。雄端子４３は、オスタブ４４を有する。コネクタハウジング４２のキャビティ前壁４５には、実施例１と同様のオスタブ挿通穴３０が端子収容室４６の側から形成される。従って、実施例２も実施例１と同様に、オスタブ４４の揺れ範囲の規制をすることができるという効果を奏する。
【００３１】
この他、本発明は本発明の主旨を変えない範囲で種々変更実施可能なことは勿論である。
【符号の説明】
【００３２】
１…キャビティ前壁、  ２…オスタブ、  ３…オスタブ挿通穴、  ４…第一タブ平面、  ５…直線状の第一穴縁部、  ６…第二タブ平面、  ７…直線状の第二穴縁部、  ８…直線状の第三穴縁部、  １１…ジョイントコネクタ、  １２…雄ジョイントコネクタ、  １３…中継ハウジング、  １４…雌コネクタ（コネクタ）、  １５…コネクタハウジング、  １６…雄端子、  １７…オスタブ、  １８…第一タブ平面、  １９…第二タブ平面、  ２０…角、  ２１…コネクタハウジング、  ２２…雌端子、  ２３…スペーサ、  ２４…電線、  ２５…端子収容室、  ２６…スペーサ組み付け部、  ２７…電線引き出し部、  ２８…キャビティ前壁、  ２９…ランス、  ３０…オスタブ挿通穴、  ３１、３２…タブ拾い面、  ３３…規制構造、  ３４…直線状の第一穴縁部、  ３５…直線状の第二穴縁部、  ３６…直線状の第三穴縁部、  ４１…雄コネクタ（コネクタ）、  ４２…コネクタハウジング、  ４３…雄端子、  ４４…オスタブ、  ４５…キャビティ前壁、  ４６…端子収容室、  Ｃ１…第一軸、  Ｃ２…第二軸、  Ｃ３…第三軸、  Ｘ、Ｙ、Ａ…クリアランス
【図１】
2019008998.tif 000003
【図２】
2019008998.tif 000004
【図３】
2019008998.tif 000005
【図４】
2019008998.tif 000006
【図５】
2019008998.tif 000007
【図６】
2019008998.tif 000008
【図７】
2019008998.tif 000009
【図８】
2019008998.tif 000010